(57)【要約】  【課題】  ＩＳＵベースが装置本体フレームに橋渡し固定されている場合であっても読取手段であるＣＣＤの振動を確実に抑制し、画像ぶれや色ずれ等の発生を抑えた画像読取装置を提供する。  【解決手段】  装置本体２の前後方向のフレーム間には、上面に読取手段としてのＣＣＤが搭載される板状のＩＳＵベース６が水平に橋渡し固定されており、ＩＳＵベース６の裏面には断面がコ字型の板金部材１０がＩＳＵベース６の橋渡し方向と平行に付設されている。この構成とすることにより、ＩＳＵベース６の上下方向の撓みを制限し、ＣＣＤの振動を減衰する。【選択図】      図１
2005148264.tif 000002
【特許請求の範囲】
【請求項１】
原稿を照明し、原稿からの反射光を画像光として結像する走査光学系と、
前記走査光学系により結像された画像光を読み取る光電変換素子と、を備え、
前記光電変換素子を搭載する板状の支持部材が装置本体のフレーム間に水平に橋渡し固定される画像読取装置において、
少なくとも一つの板金部材を、板金部材の長手方向が前記支持部材の橋渡し方向と略平行に、前記支持部材の裏面に設けたことを特徴とする画像読取装置。
【請求項２】
前記板金部材は、長手方向と直交する方向に少なくとも１回以上直角に折り曲げられた板金部材であることを特徴とする請求項１に記載の画像読取装置。
【請求項３】
前記板金部材は、断面がコ字型であり、コ字型の端部が下向きとなるように配置されることを特徴とする請求項２に記載の画像読取装置。
【請求項４】
前記板金部材は、溶接により前記支持部材に固定されることを特徴とする請求項１〜請求項３のいずれかに記載の画像読取装置。
【発明の詳細な説明】
【技術分野】
【０００１】
本発明は、原稿を照明して画像光を形成し、その画像光を受光して読み取る読取手段を備えたデジタル複写機やファクシミリ等に用いられる画像読取装置に関する。
【背景技術】
【０００２】
図６に、従来の画像読取装置の概略図を示す。１は原稿であり、図示しない原稿台、即ちコンタクトガラス上に原稿面を下に向けて載置されている。このコンタクトガラスは装置本体２の上部に取り付けられている。また、装置本体２内部には一対の案内部材としての案内レール３を互いに平行に固定してある。更にこの案内レール３はコンタクトガラスと平行になっている。
【０００３】
４は原稿を照明する照明ユニットであり、光源、ミラー（いずれも図示せず）等から構成される。５はミラー５ａ等から成るミラーユニットである。照明ユニット４及びミラーユニット５は走査装置としてコロ等の転動体（図示せず）により案内レール３上を矢印Ａ、Ｂの方向に往復移動して原稿を走査し、画像光を形成する。装置本体２の前後方向のフレーム間には板状の支持部材（以下、ＩＳＵベースという）６が取り付けられており、ＩＳＵベース６の上面には画像光を縮小して結像させる集光レンズ７及び読取手段としての光電変換素子（以下、ＣＣＤという）８が搭載されている。照明ユニット４、ミラーユニット５及び集光レンズ７は、原稿を照明し、原稿からの反射光を画像光として結像する走査光学系を構成する。
【０００４】
このようにして、コンタクトガラス、照明ユニット４、ミラーユニット５、集光レンズ７及びＣＣＤ８の各部品相互の位置が決定される。上記構成においては、照明ユニット４の光源により原稿１を照明するとともに、照明ユニット４は所定の速度で矢印Ａ方向に移動し、ミラーユニット５は照明ユニット４の１／２の速度で同方向に移動して原稿１を走査する。その結果、照明ユニット４の照明により形成された画像光Ｄはミラー５ａ等を介して集光レンズ７に導かれ、集光された後ＣＣＤ８上に結像される。結像された画像光ＤはＣＣＤ８において画素分解され、各画素の濃度に応じた電気信号に変換されて画像の読み取りが行われる。
【０００５】
上記の画像読取装置においては、走査装置の移動により発生する摩擦抵抗によって案内レール３が振動した場合には、その振動がＩＳＵベース６に伝達されてＣＣＤ８が振動してしまい、その結果、各部品、特に原稿１とＣＣＤ８との位置関係に誤差が生じてしまう。ＣＣＤ８においては、実際の画像が縮小された画像光が入射し、それを画像信号に変換するため、僅かな振動によってもＣＣＤ８の読み取り性能に大きな影響を与え、画像、文字ぶれや、カラーＣＣＤを用いた場合には色ずれが発生するという問題点があった。
【０００６】
そこで、画像読取手段の振動を減衰する方法が提案されており、特許文献１には、ＣＣＤを搭載したＩＳＵベースを設置する案内レールの下面にゴム製の振動減衰部材を設ける方法が開示されている。この方法によれば、案内レールを介してＩＳＵベースを間接的に保持する構成においてはＣＣＤの振動を低減する効果が期待される。しかしながら、画像読取装置の組み立て作業を、例えばロボット等により自動的に行う場合、組み立て工程を簡素化するため、図６のようにＩＳＵベースを画像読取装置本体のフレーム間に直接に橋渡しして設置することがあるが、そのような場合においては、特許文献１の方法ではＣＣＤの振動を完全に抑えることは困難であった。
【特許文献１】特開平５−６３９１６号公報
【発明の開示】
【発明が解決しようとする課題】
【０００７】
本発明は、上記問題点に鑑み、ＩＳＵベースが橋渡し固定されている場合に読取手段であるＣＣＤの振動を確実に減衰することができ、画像ぶれや色ずれ等の発生を抑える画像読取装置を提供することを目的とする。
【課題を解決するための手段】
【０００８】
上記目的を達成するために本発明は、原稿を照明し、原稿からの反射光を画像光として結像する走査光学系と、前記走査光学系により結像された画像光を読み取る光電変換素子とを備え、前記光電変換素子を搭載する板状の支持部材が装置本体のフレーム間に水平に橋渡し固定される画像読取装置において、少なくとも一つの板金部材を、板金部材の長手方向が前記支持部材の橋渡し方向と略平行に、前記支持部材の裏面に設けたことを特徴としている。
【０００９】
また本発明は、上記構成の画像読取装置において、前記板金部材は、長手方向と直交する方向に少なくとも１回以上直角に折り曲げられた板金部材であることを特徴としている。
【００１０】
また本発明は、上記構成の画像読取装置において、前記板金部材は、断面がコ字型であり、コ字型の端部が下向きとなるように配置されることを特徴としている。
【００１１】
また本発明は、上記構成の画像読取装置において、前記板金部材は、溶接により前記支持部材に固定されることを特徴としている。
【発明の効果】
【００１２】
本発明の第１の構成によれば、ＩＳＵベースが装置本体フレームに橋渡し固定されている場合に、ＩＳＵベースの裏面に板金部材を長手方向が前記支持部材の橋渡し方向と略平行となるように設けてＩＳＵベースの撓みを制限することにより、原稿走査時に走査装置の移動により生じるＩＳＵベースの振動を防止し、ＣＣＤの振動による文字ぶれや画像ぶれを抑制することができる。
【００１３】
また、本発明の第２の構成によれば、上記第１の構成の画像読取装置において、板金部材が長手方向と直交する方向に少なくとも１回以上直角に折り曲げられた板金部材であることにより、長手方向と垂直な方向の撓みが少なく、強度的に優れた板金部材とすることができ、ＩＳＵベースの撓みをより効果的に制限する。
【００１４】
また、本発明の第３の構成によれば、上記第２の構成の画像読取装置において、板金部材の断面がコ字型であり、コ字型の端部が下向きとなるように配置されることにより、垂直方向の撓みがさらに少なく、強度的に優れ、且つ安定した形状の板金部材とすることができ、ＩＳＵベースの撓みを一層制限して振動をより効果的に防止する。
【００１５】
また、本発明の第４の構成によれば、上記第１乃至第３のいずれかの構成の画像読取装置において、振動減衰部材が溶接により支持部材に固定されることにより、板金部材を簡便且つ確実に固定することができる。
【発明を実施するための最良の形態】
【００１６】
以下に本発明の実施形態を図面を参照して説明する。図１は本発明の第１実施形態の画像読取装置の裏面斜視図である。従来例の図６と共通する部分には同一の符号を付して説明を省略する。本実施形態においては、ＩＳＵベース６の裏面に断面がコ字型の細長状の板金部材１０を溶接により固定している。９は装置本体２を他の部材上に設置するための脚部である。
【００１７】
ＩＳＵベース６は、装置本体２の前後のフレーム間に橋渡し固定されているため、画像読取装置の設置面とＩＳＵベース６との間に、装置本体２の板金厚さや脚部９の高さ分だけ隙間が生じることとなる。そのため、走査装置（図示せず）の移動により発生する振動が装置本体２を介してＩＳＵベース６に伝わると、ＩＳＵベース６が上下方向に振動し、同時に搭載されたＣＣＤ（図示せず）も振動して読み取り画像の劣化が生じてしまう。そこで、ＩＳＵベース６の裏面に板金部材１０を設け、板金部材１０によりＩＳＵベース６自体の上下方向の撓みを制限することにより、ＩＳＵベース６の振動を抑制することとしている。
【００１８】
板金部材１０の構成を図２に示す。同図に示すように、板金部材１０は断面がコ字型の溝状の板金部材であり、矩形の板金の両側を垂直に折り曲げて左右対称に設けられる側面１０ａと、一対の側面１０ａ間の固定面１０ｂとから構成され、固定面１０ｂの背面がＩＳＵベース６の裏面に固定される。図３は、図１の画像読取装置を設置した状態における側面断面図であり、図４は、板金部材１０周辺の正面拡大図である。図３に示すように、板金部材１０をＩＳＵベース６の橋渡し方向（図３の左右方向）に設けることによりＩＳＵベース６を補強して撓みを制限し、走査装置の移動により発生する振動が伝わってもＩＳＵベース６が上下に振動するのを防止する。そのため、板金部材１０は設置面１１に接する必要はなく、図４に示すように側面１０ａの高さはＩＳＵベース６と設置面１１との隙間より小さく設計されている。
【００１９】
なお、この例においては、振動減衰部材１０の長手方向がＩＳＵベース６の橋渡し方向（図１の前後方向）に平行となるように固定されている。振動減衰部材１０を他の方向、例えば長手方向がＩＳＵベース６の橋渡し方向に直交する方向（図１の左右方向）となるように固定してもある程度の補強効果は期待できるが、ＩＳＵベース６は橋渡し方向の端部が装置本体２に固定されているのに対し、橋渡し方向と直交方向の端部が固定されていないため、ＩＳＵベース６全体の上下方向への撓みが大きくなる。従って、本実施形態のように板金部材１０を橋渡し方向に略平行に固定することにより、固定されていないＩＳＵベース６の端部を板金部材１０によって連続的に補強してＩＳＵベース６の撓みを抑制し、ひいては搭載されるＣＣＤの振動をより効果的に低減することが可能となる。
【００２０】
また、例えば図５（ａ）に示すような断面がＬ字型や、図５（ｂ）に示すような断面が逆凸型の板金部材１０を用いることも可能である。即ち、長手方向と直交する方向に少なくとも１回以上直角に折り曲げられた形状のものであれば、長手方向と直交する方向の撓みが少なく、強度的に優れた形状の板金部材とすることができるが、特に、本実施形態のように断面がコ字型の板金部材を端部が下向きとなるように固定した場合が形状的にも安定であり、最もＩＳＵベース６の補強効果を高めることができる。
【００２１】
板金部材１０の固定方法としては、溶接による固定の他、ビス、ハトメ等の固定部材による固定方法やカシメ、粘着テープによる固定等、種々の固定方法を用いることができるが、簡便且つ確実に固定でき、別途固定部材も必要としない溶接固定が好ましい。なお、ここでは板金部材１０をＩＳＵベースの裏面２箇所に付設しているが、少なくとも１箇所以上に板金部材１０を設けることにより、実用上十分な振動防止効果が得られる。
【００２２】
上述したような画像読取装置をカラー或いはモノクロ複写機やファクシミリ、イメージスキャナ等に搭載することにより、ＩＳＵベースが橋渡し状に設置されている画像読取装置の場合でもＣＣＤの振動を確実に低減することができ、画像ぶれや色ずれ等の発生を抑えることができる。さらに、ロボット等による自動組み立てが容易となるため製造コストの低減にも貢献する。
【産業上の利用可能性】
【００２３】
本発明は、原稿を照明し、原稿からの反射光を画像光として結像する走査光学系と、走査光学系により結像された画像光を読み取る光電変換素子とを備え、光電変換素子を搭載する板状の支持部材が装置本体のフレーム間に水平に橋渡し固定される画像読取装置において、少なくとも一つの板金部材を、板金部材の長手方向が支持部材の橋渡し方向と略平行に、支持部材の裏面に設けたこととする。これにより、ＩＳＵベースが橋渡し固定されている場合に、ＩＳＵベースの自由端部を連続的に補強してＩＳＵベースの撓みを制限することにより、原稿走査時に走査装置の移動により生じるＩＳＵベースの振動を低減し、ＩＳＵベース上に搭載されるＣＣＤの振動による文字ぶれや画像ぶれを抑制することができる。
【００２４】
また、板金部材は、垂直方向にある程度の強度が必要であるが、長手方向と直交する方向に少なくとも１回以上直角に折り曲げられた板金部材とすることにより、長手方向と垂直な方向の撓みが少なく、強度的に優れた板金部材とすることができ、ＩＳＵベースの上下方向の撓みを制限して振動を効果的に抑制する。特に、断面がコ字型の板金部材を、コ字型の端部が下向きとなるように配置した場合、ＩＳＵベースの振動をより一層効果的に抑制する。
【００２５】
また、板金部材をＩＳＵベースに溶接固定することにより、別途固定用部材を用いることなく板金部材の簡便且つ確実な固定が可能となる。
【図面の簡単な説明】
【００２６】
【図１】は、本発明の第１実施形態に係る画像読取装置の裏面斜視図である。
【図２】は、本実施形態に用いられる板金部材の斜視図である。
【図３】は、本実施形態の画像読取装置を設置した状態における側面断面図である。
【図４】は、画像読取装置を設置した状態における板金部材周辺の正面拡大図である。
【図５】は、板金部材の他の形状を示す側面拡大図である。
【図６】は、従来の画像読取装置の概略図である。
【符号の説明】
【００２７】
１    原稿
２    装置本体
３    案内レール
４    照明ユニット
５    ミラーユニット
６    ＩＳＵベース（支持部材）
７    集光レンズ
８    ＣＣＤ
９    脚部
１０  板金部材
１０ａ  側面
１０ｂ  固定面
１１  設置面
【図１】
2005148264.tif 000003
【図２】
2005148264.tif 000004
【図３】
2005148264.tif 000005
【図４】
2005148264.tif 000006
【図５】
2005148264.tif 000007
【図６】
2005148264.tif 000008